(57)【特許請求の範囲】
【請求項１】
水を消火用流体として貯留する水タンクと、薬液を消火用流体として貯留する薬液タンクと、消火用流体の放出ノズルと、消火用流体の流れる配管とを備え、そのノズルから放出される消火用流体を水、薬液、水と薬液の混合液の中から選択可能な消防自動車において、
各タンク、ノズル、及び配管を表す画像の表示手段が設けられ、
その表示手段に流体の流れの有無と流体の種類に応じた表示信号を出力するコントローラが設けられ、
各タンクの画像は、貯留される消火用流体に対応付けられた色により着色表示され、
その配管の画像は、その配管を流れる消火用流体に対応付けられた色により、消火用流体が流れない場合と異なる色に着色表示され、
その水、薬液、混合液それぞれに、互いに異なる色が対応付けられ、
前記コントローラの出力信号に応じて前記配管の画像の着色が流体の種類に対応するように変化することを特徴とする消防自動車。
【請求項２】
水を消火用流体として貯留する水タンクと、薬液を消火用流体として貯留する薬液タンクと、消火用流体の放出ノズルと、消火用流体の流れる配管とを備え、そのノズルから放出される消火用流体を水、薬液、水と薬液の混合液の中から選択可能な消防自動車において、
各タンク、ノズル、及びそのノズルから放出される消火用流体を表す画像の表示手段が設けられ、
その表示手段に流体の流れの有無と流体の種類に応じた表示信号を出力するコントローラが設けられ、
各タンクの画像は、貯留される消火用流体に対応付けられた色により着色表示され、
そのノズルから放出される消火用流体の画像は、そのノズルから放出される消火用流体に対応付けられた色により、消火用流体が放出されない場合と異なる色に着色表示され、
その水、薬液、混合液のそれぞれに、互いに異なる色が対応付けられ、
前記コントローラの出力信号に応じて前記消火用流体の画像の着色が流体の種類に対応するように変化することを特徴とする消防自動車。
【請求項３】
その水タンクの画像の大きさと薬液タンクの画像の大きさとは、水タンクの大きさと薬液タンクの大きさの相違に応じて相違する請求項１または２に記載の消防自動車。
【請求項４】
消火用流体の流れる配管途中に設けられる消火用流体送り用ポンプと、そのポンプの動力断接を選択するスイッチと、その配管における流路開閉用の複数のバルブと、各バルブによる流路の開閉を選択するスイッチとを備え、
そのタンク、各ノズル、配管、および各選択スイッチを表す画像の表示パネルが設けられ、
その配管の画像と各選択スイッチの画像の相対位置は、その配管とポンプと各バルブの相対位置に対応するものとされ、
各選択スイッチは、その表示パネルに各選択スイッチの画像の位置と重なるように設けられ、
その配管の画像は、その配管を流れる消火用流体に対応付けられた色により、消火用流体が流れない場合と異なる色に着色表示される請求項１〜３の中の何れかに記載の消防自動車。
【請求項５】
各選択スイッチの画像は、その選択状態に対応付けられた色に着色表示される請求項４に記載の消防自動車。
【請求項６】
水を消火用流体として貯留する水タンクと、薬液を消火用流体として貯留する薬液タンクと、消火用流体の放出ノズルと、消火用流体の流れる配管とを備え、そのノズルから放出される消火用流体を水、薬液、水と薬液の混合液の中から選択可能な消防自動車において、
各タンク、ノズル、及び配管を表す画像の表示手段が設けられ、
各タンクの画像は、貯留される消火用流体に対応付けられた色により着色表示され、
その配管の画像は、その配管を流れる消火用流体に対応付けられた色により、消火用流体が流れない場合と異なる色に着色表示され、
その水、薬液、混合液それぞれに、互いに異なる色が対応付けられ、
前記ノズルの少なくとも一つの消火用流体放出方向は変位可能とされ、
そのノズルの画像は、そのノズルの消火用流体放出方向の変位に応じて変化可能とされている消防自動車。
【請求項７】
消火用流体の流れる配管途中に設けられる消火用流体送り用ポンプと、そのポンプの動力断接を選択するスイッチと、その配管における流路開閉用の複数のバルブと、各バルブによる流路の開閉を選択するスイッチとを備え、そのノズルから放出される消火用流体を水、薬液、水と薬液の混合液の中から選択可能な消防自動車において、
各タンク、各ノズル、配管、および各選択スイッチを表す画像の表示手段が設けられ、
その配管の画像と各選択スイッチの画像の相対位置は、その配管とポンプと各バルブの相対位置に対応するものとされ、
各選択スイッチは、その表示パネルに各選択スイッチの画像の位置と重なるように設けられ、
各タンクの画像は、貯留される消火用流体に対応付けられた色により着色表示され、
その配管の画像は、その配管を流れる消火用流体に対応付けられた色により、消火用流体が流れない場合と異なる色に着色表示され、
その水、薬液、混合液それぞれに、互いに異なる色が対応付けられる請求項１〜３、６の中の何れかに記載の消防自動車。
【発明の詳細な説明】
【０００１】
【発明の属する技術分野】
本発明は、消火用流体の流動状態を把握することのできる表示機能を備えた消防自動車に関する。
【０００２】
【従来の技術】
水を消火用流体として貯留する水タンクと、薬液を消火用流体として貯留する薬液タンクと、消火用流体の複数の放出ノズルと、消火用流体の流れる配管と、その配管途中に設けられる消火用流体送り用ポンプと、そのポンプの動力断接を選択するスイッチと、その配管における流路開閉用の複数のバルブと、各バルブによる流路の開閉を選択するスイッチとを備え、各ノズルから放出される消火用流体を水、薬液、水と薬液の混合液の中から選択可能な消防自動車が従来から用いられている。
【０００３】
上記のような消防自動車において、ポンプの動力断接状態や配管の流路開閉状態を把握するため、各選択スイッチに対応するランプを設け、そのランプを選択状態に応じて点滅させることが一般に行なわれている。また、その配管の画像に各選択スイッチを重ねて配置し、その配管の画像と各選択スイッチの相対位置を、実際の配管とポンプと各バルブの相対位置に対応するものとすることで、ポンプの動力断接状態や配管の流路開閉状態の把握の容易化を図っている。
【０００４】
【発明が解決しようとする課題】
しかし、消火用流体を水、薬液、水と薬液の混合液の中から選択可能な消防自動車においては、何れの流体が流動しているかはランプの点滅状態のみからは容易に判断できない。また、放出ノズルの数や配管の流路開閉バルブの数が多くなると、ランプの点滅状態のみからは消火用流体の流動状態は容易に判断できない。そのため、流路の開閉操作等により流動状態がどのように変化するかを容易に判断できず、迅速な判断が必要とされる消防現場において充分に満足できるものではなかった。
【０００５】
本発明は、上記問題を解決することのできる消防自動車を提供することを目的とする。
【０００６】
【課題を解決するための手段】
本発明の第１の特徴は、水を消火用流体として貯留する水タンクと、薬液を消火用流体として貯留する薬液タンクと、消火用流体の放出ノズルと、そのタンクとノズルとの間の配管とを備え、そのノズルから放出される消火用流体を水、薬液、水と薬液の混合液の中から選択可能な消防自動車において、各タンク、ノズル、及び配管を表す画像の表示手段が設けられ、各タンクの画像は、貯留される消火用流体に対応付けられた色により着色表示され、その配管の画像は、その配管を流れる消火用流体に対応付けられた色により、消火用流体が流れない場合と異なる色に着色表示され、その水、薬液、混合液それぞれに、互いに異なる色が対応付けられる点にある。
【０００７】
この特徴によれば、タンクとノズルとの間の配管において、消火用流体が流動しているか否か、流動している場合は水、薬液、水と薬液の混合液の何れが流動しているかを、各タンクの画像の色と、配管の画像の色とを比較することで、容易に判断することができる。
【０００８】
本発明の第２の特徴は、水を消火用流体として貯留するタンクと、薬液を消火用流体として貯留するタンクと、消火用流体の放出ノズルと、そのタンクとノズルとの間の配管とを備え、そのノズルから放出される消火用流体を水、薬液、水と薬液の混合液の中から選択可能な消防自動車において、各タンク、ノズル、及びそのノズルから放出される消火用流体を表す画像の表示手段が設けられ、各タンクの画像は、貯留される消火用流体に対応付けられた色により着色表示され、そのノズルから放出される消火用流体の画像は、そのノズルから放出される消火用流体に対応付けられた色により、消火用流体が放出されない場合と異なる色に着色表示され、その水、薬液、混合液のそれぞれに、互いに異なる色が対応付けられる点にある。
【０００９】
この特徴によれば、ノズルから消火用流体が放出されているか否か、放出されている場合は水、薬液、水と薬液の混合液の何れが放出されているかを、各タンクの画像の色と、ノズルから放出される消火用流体の画像の色とを比較することで、容易に判断することができる。
【００１０】
本発明の上記各特徴において、水タンクの画像の大きさと薬液タンクの画像の大きさとは、水タンクの大きさと薬液タンクの大きさの相違に応じて相違するのが好ましい。これにより、各タンクの画像の大きさを比較することで、水に対応付けられた色と薬液に対応付けられた色とを誤認するのを防止できる。
【００１１】
本発明の第３の特徴は、消火用流体のタンクと、消火用流体の複数の放出ノズルと、消火用流体の流れる配管と、その配管途中に設けられる消火用流体送り用ポンプと、そのポンプの動力断接を選択するスイッチと、その配管における流路開閉用の複数のバルブと、各バルブによる流路の開閉を選択するスイッチとを備える消防自動車において、そのタンク、各ノズル、配管、および各選択スイッチを表す画像の表示パネルが設けられ、その配管の画像と各選択スイッチの画像の相対位置は、その配管とポンプと各バルブの相対位置に対応するものとされ、各選択スイッチは、その表示パネルに各選択スイッチの画像の位置と重なるように設けられ、その配管の画像は、その配管を流れる消火用流体に対応付けられた色により、消火用流体が流れない場合と異なる色に着色表示される点にある。
【００１２】
この特徴によれば、放出ノズルの数や流路開閉バルブの数が多くても、配管における消火用流体の流動状態を、各ノズルの画像と各選択スイッチの画像との間における配管の画像の色から容易に判断することができる。さらに、その配管の画像の色から、各選択スイッチによりポンプ動力を断接し、バルブにより流路を開閉した場合、どのように流動状態が変化するかを容易に判断することができる。
【００１３】
上記各選択スイッチの画像は、その選択状態に対応付けられた色に着色表示されるのが好ましい。各選択スイッチの画像の色から、ポンプ動力の断接状態や流路の開閉状態を確認できるので、各選択スイッチによりポンプ動力を断接し、バルブにより流路を開閉した場合、どのように流動状態が変化するかの判断を容易化できる。
【００１４】
上記各ノズルの少なくとも一つの消火用流体放出方向は変位可能とされ、そのノズルの画像は、そのノズルの消火用流体放出方向の変位に応じて変化可能可能とされているのが好ましい。これにより、消火用流体の放出方向を容易に判断できる。
【００１５】
【発明の実施の形態】
以下、図面を参照して本発明の実施形態を説明する。
【００１６】
図１に示す消防自動車１は、運転室２の屋根にタレット装置３を介して設けられた消火流体放出用主ノズル４と、前部バンパーに図外駆動装置を介して設けられた消火流体放出用副ノズル５と、車体６の底部に設けられた複数の自車冷却流体放出用底部ノズル７と、車体６の左右側面にホースを介して接続される一対の消火流体放出用手持ちノズル８、９（図４参照）とを備える。各ノズル４、５、７、８、９から放出される消火用流体は、後述のように水、薬液、水と薬液の混合液の中から選択可能とされている。
【００１７】
図２に示すように、その運転室２の内部の運転シート２ａの横に、主ノズル操作体１１と、副ノズル操作体１２と、制御パネル１３とが設けられている。その主ノズル操作体１１は、上記主ノズル４の形状を模した形状とされ、球面に沿う動きが可能であり、この操作体１１の動きに応じて上記タレット装置３を油圧アクチュエータにより駆動し、主ノズル４を上下方向軸中心と横方向軸中心とに揺動させることができる。その副ノズル操作体１２はジョイステックであり、この操作体１２の動きに応じて図外駆動装置を駆動し、副ノズル５を上下方向軸中心と横方向軸中心とに揺動させることができる。
【００１８】
その制御パネル１３は、２種類の画面を切り換え表示可能なカラー液晶表示パネルと、この液晶表示パネルに重ねて配置されるタッチパネルとにより構成される。その液晶表示パネルは、図３に示す第１画面１５と、図４に示す第２画面１６とを表示することができる。
【００１９】
そのタッチパネルは、各画面１５、１６において操作可能な画面切換スイッチ２１と、第２画面１６において操作可能な実行スイッチ２２とを有する。
その画面切換スイッチ２１と実行スイッチ２２とは、四角形枠により囲まれる画像として液晶表示パネルに表示される。
【００２０】
また、タッチパネルは、水タンク流入流路開閉選択スイッチ２３、水タンク左流出流路開閉選択スイッチ２４、水タンク右流出流路開閉選択スイッチ２５、薬液タンク左流出流路開閉選択スイッチ２６、薬液タンク右流出流路開閉選択スイッチ２７、エジェクタ主流路開閉選択スイッチ２８、エジェクタ吸引流路開閉選択スイッチ２９、主ポンプ動力断接選択スイッチ３０、外部給水流路開閉選択スイッチ３１、ドレン流路開閉選択スイッチ３２、真空ポンプ動力断接選択スイッチ３３、主ノズル流路開閉選択スイッチ３４、副ノズル流路開閉選択スイッチ３５、左右手持ちノズル流路開閉選択スイッチ３６、３７、および、底部ノズル流路開閉選択スイッチ３８を有する。
各選択スイッチ２３、２４、２５、２６、２７、２８、２９、３０、３１、３２、３３、３４、３５、３６、３７、３８は、液晶表示パネルにより四角形の外枠Ａと内枠Ｂにより囲まれる画像として表され、その画像の位置と重なるように設けられる。
【００２１】
その第１画面１５に、上記タレット装置３、主ノズル４、副ノズル５、車体６、底部ノズル７の各画像が表示される。また、その車体６に内蔵される水タンク５１、薬液タンク５２、エンジン５３、消火流体送り用主ポンプ５４、タレット装置３の駆動油圧発生用オイルポンプ５５、走行系駆動装置５６、そのエンジン５３から主ポンプ５４と走行系駆動装置５６への動力伝達経路５７、５８、その主ポンプ５４から主ノズル４への配管６５、そのオイルポンプ５５からタレット装置３への圧油配管経路４１の各画像が表示される。また、主ノズル４、副ノズル５、および底部ノズル７から放出される消火用流体を表す画像１０１、１０２、１０３が表示される。この第１画面１５においては、水タンク５１の画像は薬液タンク５２の画像よりも大きくされ、実際の水タンク５１と薬液タンク５２の大きさの相違に対応するものとされている。
【００２２】
さらに、第１画面１５においては、主ポンプ５４の回転数を棒グラフと数値とで示す回転数表示画像４３と、主ポンプ５４の吸引側の連成圧力を棒グラフと数値とで示す連成圧力表示画像４４と、主ポンプ５４の吐出側の圧力を棒グラフと数値とで示す吐出圧力表示画像４５と、オイルポンプ５５から供給される圧油の圧力を棒グラフと数値とで示す油圧表示画像４６と、タレット装置３による主ノズル４の上下方向軸中心の回転による流体放出方位の変化を指針グラフで示す方位表示画像４９とが表示される。
【００２３】
その第２画面１６に、上記タレット装置３、主ノズル４、副ノズル５、底部ノズル７、手持ちノズル８、９、水タンク５１、および薬液タンク５２の各画像が表示される。また、上記回転数表示、連成圧力表示、吐出圧力表示、油圧表示の各画像４３、４４、４５、４６が表示される。また、各ノズル３、４、５、７、８、９、各タンク３１、３２、外部吸水口６１、ドレン排出口６２、エジェクタ６３、および中継給水コック６４を接続する配管６５の画像が表示される。また、水タンク５１、薬液タンク５２、およびオイルタンク６６の空表示画像６７、６８、６９が表示される。さらに、主ノズル４、副ノズル５、手持ちノズル８、９からから放出される消火用流体を表す画像１０１、１０２、１０４、１０５と、ドレン排出口６２から排出される消火用流体を表す画像１０６とが表示される。
【００２４】
その第２画面１６の配管６５の画像と上記各選択スイッチ２３、２４、２５、２６、２７、２８、２９、３０、３１、３２、３４、３５、３６、３７、３８のの画像の相対位置は、その配管６５と主ポンプ５４と下記各電磁バルブ７１、７２、７３、７４、７５、７６、７７、７９、８０、８２、８３、８４、８５、８６の相対位置に対応するものとされる。
【００２５】
図５は、消防自動車１の表示系の構成を示すブロック図であり、コンピュータにより主構成されるコントローラ７０が車体６に搭載され、このコントローラ７０に、上記各ノズル操作体１１、１２、制御パネル１３を構成する液晶表示パネル１３ａとタッチパネル１３ｂ、タレット装置３の油圧アクチュエータの制御用電磁バルブ９０、水タンク流入流路開閉用電磁バルブ７１、水タンク左流出流路開閉用電磁バルブ７２、水タンク右流出流路開閉用電磁バルブ７３、薬液タンク左流出流路開閉用電磁バルブ７４、薬液タンク右流出流路開閉用電磁バルブ７５、エジェクタ主流路開閉用電磁バルブ７６、エジェクタ吸引流路開閉用電磁バルブ７７、主ポンプ５４とエンジン５３との間の動力断接用電磁クラッチ７８、外部給水流路開閉用電磁バルブ７９、ドレン流路開閉用電磁バルブ８０、真空ポンプとエンジン５３との間の動力断接用電磁クラッチ８１、主ノズル流路開閉用電磁バルブ８２、副ノズル流路開閉用電磁バルブ８３、左右手持ちノズル流路開閉用電磁バルブ８４、８５、底部ノズル流路開閉用電磁バルブ８６、オイルポンプ５５とエンジン５３との間の動力断接用電磁クラッチ８７、および走行系駆動装置５６とエンジン５３との間の動力断接用電磁クラッチ８８が接続される。さらに、そのコントローラ７０に、水タンク５１、薬液タンク５２、オイルタンク６６の液位レベルセンサ９１、９２、９３、オイルポンプ５５の動力断接のため運転室２に設けられるスイッチ９４、主ポンプ５４の回転数センサ９５、吐出圧力センサ９６、連成圧力センサ９７、オイルポンプ５５の油圧センサ９８、および走行系駆動装置５６の動力断接のため運転室２に設けられるスイッチ９９が接続される。
【００２６】
そのタッチパネル１３ｂの画面切換スイッチ２１の操作信号がコントローラ７０に入力されると、コントローラ７０は液晶表示パネル１３ａに表示切り換え信号を出力し、これにより、第１画面１５が第２画面１６に切り換わり、あるいは、第２画面１６が第１画面１５に切り換わる。
【００２７】
その主ノズル操作体１１の動きに応じた信号が入力されると、コントローラ７０は入力信号に対応する駆動信号をタレット装置３の電磁バルブ９０に出力する。これにより、タレット装置３はオイルポンプ５５の発生油圧により主ノズル４を、流体放出方向が操作体１１の動きに応じた方向になるように変位させる。また、コントローラ７０は入力信号に対応する表示信号を液晶表示パネル１３ａに出力する。これにより、第１画面１５の主ノズル４の画像は、実際の横方向軸中心の揺動による消火流体放出方向の変位に応じて変化する。また、その表示信号により、液晶表示パネル１３ａにおける方位表示画像４９は、実際の主ノズル４の上下方向軸中心の回転による流体放出方位を示すように変化する。
なお、副ノズル操作体１２の動きに応じた信号が入力されると、コントローラ７０は入力信号に対応する駆動信号を駆動装置に出力し、副ノズル５を、流体放出方向が操作体１２の動きに応じた方向になるように変位させるが、液晶表示パネル１３ａにおける副ノズル５の画像は本実施形態では変化しない。もちろん、変化させるようにしてもよい。
【００２８】
水タンク５１の液位レベルセンサ９１からの信号が入力されると、コントローラ７０は入力信号に対応する表示信号を液晶表示パネル１３ａに出力する。これにより、液晶表示パネル１３ａにおける水タンク５１の画像の着色領域は検知された液位に応じて変化する。すなわち、その水タンク５１の画像は上下複数のブロック５１ａに分割され、液位に応じた数のブロック５１ａが水に対応付けられた色で着色される。本実施形態では、満水では全ブロック５１ａが青色で表示され、空では全ブロック５１ａが灰色で表示されると共に空表示画像６７が灰色から赤色に変化する。なお、本実施形態では、液晶表示パネル１３ａにおける電源切断時の画面の地色が灰色とされている。
【００２９】
薬液タンク５２の液位レベルセンサ９２からの信号が入力されると、コントローラ７０は入力信号に対応する表示信号を液晶表示パネル１３ａに出力する。これにより、液晶表示パネル１３ａにおける薬液タンク５２の画像の着色領域は検知された液位に応じて変化する。すなわち、その薬液タンク５２の画像は上下複数のブロック５２ａに分割され、液位に応じた数のブロック５２ａが薬液に対応付けられた色で着色される。本実施形態では、満水では全ブロック５２ａが緑色で表示され、空では全ブロック５２ａが灰色で表示されると共に空表示画像６８が灰色から赤色に変化する。
【００３０】
上記タッチパネル１３ｂにおける流路開閉選択スイッチ２３、２４、２５、２６、２７、２８、２９、３１、３２、３４、３５、３６、３７、３８、主ポンプ動力断接選択スイッチ３０、および真空ポンプ動力断接選択スイッチ３３からの信号が入力されると、コントローラ７０は入力信号に対応する表示信号を液晶表示パネル１３ａに出力する。これにより、各選択スイッチ２３、２４、２５、２６、２７、２８、２９、３０、３１、３２、３３、３４、３５、３６、３７、３８の画像は、その選択状態に対応付けられた色に着色表示される。本実施形態では、各選択スイッチ２３、２４、２５、２６、２７、２８、２９、３０、３１、３２、３３、３４、３５、３６、３７、３８の画像の内枠Ｂに囲まれた部分が、流路の開閉選択および動力の断接選択に応じた色に着色される。本実施形態では、流路の開き、動力の接続を選択すると赤色に着色され、流路の閉じ、動力の切断を選択すると灰色に着色される。
【００３１】
上記タッチパネル１３ｂにおける実行スイッチ２２からの信号が入力されると、コントローラ７０は、選択スイッチ２３、２４、２５、２６、２７、２８、２９、３０、３１、３２、３３、３４、３５、３６、３７、３８による選択に応じた駆動信号を、電磁バルブ７１、７２、７３、７４、７５、７６、７７、７９、８０、８２、８３、８４、８５、８６、電磁クラッチ７８、８１に出力する。これにより、各流路は選択に応じて開状態あるいは閉状態になり、また、主ポンプ５４と真空ポンプは駆動状態あるいは停止状態になるので、消火流体の放出、消火水の吸引や水タンク５１への供給、ドレンの排出を行なうことができる。なお、薬液タンク５２への消火薬液の供給は、タンク開口（図示省略）から直接行なわれる。真空ポンプは、配管６５内のエアの強制排出や、池や河川等から外部吸水口６１を介して給水する場合の揚水に用いられる。
【００３２】
また、コントローラ７０は実行スイッチ２２からの信号が入力されると、上記選択の実行結果に応じた表示信号を液晶表示パネル１３ａに出力する。すなわち、その表示信号により、各選択スイッチ２３、２４、２５、２６、２７、２８、２９、３０、３１、３２、３３、３４、３５、３６、３７、３８の画像の外枠Ａと内枠Ｂに囲まれた部分が、流路の開閉状態および動力の断接状態に応じた色に着色される。本実施形態では、流路の開き状態、動力の接続状態では黄色に着色され、流路の閉じ状態、動力の切断状態では灰色に着色される。また、第１画面１５における主ポンプ５４の色が、動力の断接状態に応じた色に着色され、本実施形態では、動力の接続状態では紫色に着色され、動力の切断状態では灰色に着色される。
【００３３】
さらに、コントローラ７０は、実行スイッチ２２からの信号が入力されると、流体の流れの有無と、流体の種類とに応じた表示信号を液晶表示パネル１３ａに出力する。その表示信号により、配管６５の画像と、ノズル４、５、７、８、９から放出される消火用流体を表す画像１０１、１０２、１０３、１０４、１０５と、ドレン排出口６２から排出される消火用流体を表す画像１０６とが、下記のように、その配管６５を流れる消火用流体に対応付けられた色により、消火用流体が流れない場合と異なる色に着色表示される。
【００３４】
第２画面１６の配管６５の画像において、水タンク５１との接続部６５ａ、６５ｂから水タンク左右流出流路開閉選択スイッチ２３、２４までの部分は、水タンク５１に水が入っている限りは、水に対応付けられた青に着色され、水タンク５１が空になると灰色に着色される。水タンク左右流出流路開閉選択スイッチ２３、２４から水薬液混合位置６５ｃ、６５ｄまでの部分は、水タンク左右流出流路開閉バルブ７２、７３が開かれると青に着色され、それ以外では灰色に着色される。
【００３５】
第２画面１６の配管６５の画像において、薬液タンク５２との接続部６５ｅ、から薬液タンク左右流出流路開閉選択スイッチ２６、２７とエジェクタ吸引流路開閉選択スイッチ２９までの部分は、薬液タンク５２に薬液が入っている限りは、薬液に対応付けられた緑に着色され、薬液タンク５２が空になると灰色に着色される。薬液タンク左右流出流路開閉選択スイッチ２６、２７から水薬液混合位置６５ｃ、６５ｄまでの部分と、エジェクタ吸引流路開閉選択スイッチ２９からエジェクタ６３までの部分は、薬液タンク左右流出流路開閉バルブ７４、７５、エジェクタ吸引流路開閉バルブ７７が開かれると緑に着色され、閉じられると灰色に着色される。
【００３６】
第２画面１６の配管６５の画像において、水薬液混合位置６５ｃ、６５ｄから主ポンプ動力断接選択スイッチ３０の吸い込み側位置６５ｇまでの部分は、水タンク左右流出流路開閉バルブ７２、７３の少なくとも一方が開いて両薬液タンク左右流出流路開閉バルブ７４、７５が閉じ、エジェクタ６３で水と薬液の混合がなされていない場合、水のみが流れるため水に対応付けられた青に着色され、両水タンク左右流出流路開閉バルブ７２、７３が閉じ、薬液タンク左右流出流路開閉バルブ７４、７５の少なくとも一方が開いている場合、薬液のみが流れるため薬液に対応付けられた緑に着色され、水タンク左右流出流路開閉バルブ７２、７３の少なくとも一方が開くと共に薬液タンク左右流出流路開閉バルブ７４、７５の少なくとも一方が開いている場合、水と薬液の混合液が流れるため水薬液混合液に対応付けられた白に着色される。
【００３７】
外部給水流路開閉選択スイッチ３１から主ポンプ動力断接選択スイッチ３０の吸い込み側位置６５ｇまでの部分は、外部給水流路開閉バルブ７９が開かれると水が流れるため青に着色され、それ以外では灰色に着色される。
【００３８】
第２画面１６の配管６５の画像において、主ポンプ動力断接選択スイッチ３０の吸い込み側位置６５ｇから、水タンク流入流路開閉選択スイッチ２３、エジェクタ主流路開閉選択スイッチ２８、主ノズル流路開閉選択スイッチ３４、副ノズル流路開閉選択スイッチ３５、左右手持ちノズル流路開閉選択スイッチ３６、３７、底部ノズル流路開閉選択スイッチ３８およびドレン流路開閉選択スイッチ３２までの部分は、主ポンプ５４が駆動されると、主ポンプ５４により送られる流体が流れるため、主ポンプ動力断接選択スイッチ３０の吸い込み側位置６５ｇでの色と同じ色に着色され、主ポンプ５４が停止すると灰色に着色される。
【００３９】
第２画面１６の配管６５の画像において、水タンク流入流路開閉選択スイッチ２３から水タンク５１までの部分と、ドレン流路開閉選択スイッチ３２からドレン排出口６２までの部分と、主ノズル流路開閉選択スイッチ３４、副ノズル流路開閉選択スイッチ３５、左右手持ちノズル流路開閉選択スイッチ３６、３７、および底部ノズル流路開閉選択スイッチ３８から各ノズル４、５、７、８、９までの部分と、第１画面１５の配管６５の画像と、第１、第２画第２画面１６の各ノズル４、５、７、８、９から放出される消火用流体を表す画像１０１、１０２、１０３、１０４、１０５と、ドレン排出口６２から排出される消火用流体を表す画像１０６とは、水タンク流入流路開閉用電磁バルブ７１、ドレン流路開閉用電磁バルブ８０、主ノズル流路開閉用電磁バルブ８２、副ノズル流路開閉用電磁バルブ８３、左右手持ちノズル流路開閉用電磁バルブ８４、８５、底部ノズル流路開閉用電磁バルブ８６が開かれると、主ポンプ５４により送られる流体が流れて放出されるため、主ポンプ動力断接選択スイッチ３０の吸い込み側位置６５ｇでの色と同じ色に着色され、各バルブ７１、８０、８２、８３、８４、８５、８６が閉じられると灰色に着色される。
【００４０】
第２画面１６の配管６５の画像において、エジェクタ主流路開閉選択スイッチ２８から、エジェクタ６３を経て、主ポンプ５４吸い込み側位置６５ｇと水薬液混合位置６５ｃとの間の第２水薬液混合位置６５ｗに至るまでの部分は、エジェクタ主流路開閉バルブ７６とエジェクタ吸引流路開閉バルブ７７とが開くと、エジェクタ６３で水と薬液の混合がなされるため白色に着色され、両バルブが閉じられると灰色に着色され、エジェクタ主流路開閉バルブ７６のみが開かれると水に対応する青色に着色され、エジェクタ吸引流路開閉バルブ７７のみが開かれると薬液に対応する緑色に着色される。エジェクタ６３で水と薬液の混合がなされる場合、薬液タンク左右流出流路開閉バルブ７４、７５が閉じられ、水タンク左右流出流路開閉バルブ７２、７３が開かれることで、水薬液混合位置６５ｃ、６５ｄと第２水薬液混合位置６５ｗとの間の部分は青色に着色され、第２水薬液混合位置６５ｗと吸い込み側位置６５ｇとの間は白色に着色される。また、エジェクタ吸引流路開閉バルブ７７とエジェクタ６３までの部分は、エジェクタ吸引流路開閉バルブ７７が開かれると薬液のみが流れるため緑色に着色され、閉じられると灰色に着色される。
【００４１】
オイルポンプ５５の動力開閉用スイッチ９４からの信号が入力されると、コントローラ７０は入力信号に対応する駆動信号を電磁クラッチ８７に出力し、これにより、エンジン５３からオイルポンプ５５への動力の伝達状態または遮断状態にする。また、コントローラ７０は、その入力信号に対応する表示信号を液晶表示パネル１３ａに出力する。その表示信号により、第１画面１５におけるオイルポンプ５５の画像の色を、動力伝達状態または動力遮断状態に応じて変化させ、例えば、伝達状態では黄色とし、遮断状態では灰色にする。
【００４２】
走行系駆動装置５６の動力開閉用スイッチ９９からの信号が入力されると、コントローラ７０は入力信号に対応する駆動信号を電磁クラッチ８８に出力し、これにより、エンジン５３から走行系駆動装置５６への動力の伝達状態または遮断状態にする。また、コントローラ７０は入力信号に対応する表示信号を液晶表示パネル１３ａに出力する。その表示信号により、第１画面１５における動力伝達経路５８の画像の色を、動力伝達状態または動力遮断状態に応じて変化させ、例えば、伝達状態では紫色とし、遮断状態では灰色にする。
【００４３】
オイルタンク６６が空であること示す信号が液位レベルセンサ９３から入力されると、コントローラ７０は入力信号に対応する表示信号を液晶表示パネル１３ａに出力し、これにより、第２画面１６における空表示画像６９を例えば灰色から赤色にする。
【００４４】
回転数センサ９５、吐出圧力センサ９６、連成圧力センサ９７、油圧センサ９８からの信号が入力されると、コントローラ７０は各入力信号に対応する表示信号を液晶表示パネル１３ａに出力し、これにより、液晶表示パネル１３ａにおける回転数表示、連成表示、吐出圧力表示、油圧表示の各画像４３、４４、４５、４６が検知された値を表示する。
【００４５】
上記消防自動車１によれば、配管６５において消火用流体が流動しているか否か、流動している場合は水、薬液、水と薬液の混合液の何れが流動しているかを、水タンク５１と薬液タンク５２の画像の色と、配管６５の画像の色とを比較することで、容易に判断することができる。また、各ノズル４、５、７、８、９から消火用流体が放出されているか否か、放出されている場合は水、薬液、水と薬液の混合液の何れが放出されているかを、各タンク５１、５２の画像の色と、ノズル４、５、７、８、９から放出される消火用流体の画像１０１、１０２、１０３、１０４、１０５の色とを比較することで、容易に判断することができる。また、第１画面１５においては、水タンク５１と薬液タンク５２の画像の大きさを比較することで、水に対応付けられた色と薬液に対応付けられた色とを誤認するのを防止できる。また、放出ノズル４、５、７、８、９の数や流路開閉バルブ７１、７２、７３、７４、７５、７６、７７、７９、８０、８２、８３、８４、８５、８６の数が多くても、配管６５における消火用流体の流動状態を、各ノズル４、５、７、８、９の画像と各選択スイッチ２３、２４、２５、２６、２７、２８、２９、３０、３１、３２、３４、３５、３６、３７、３８の画像との間における配管６５の画像の色から容易に判断することができる。さらに、その配管６５の画像の色から、各選択スイッチ２３、２４、２５、２６、２７、２８、２９、３０、３１、３２、３４、３５、３６、３７、３８により主ポンプ５４の動力を断接し、バルブ７１、７２、７３、７４、７５、７６、７７、７９、８０、８２、８３、８４、８５、８６により流路を開閉した場合、どのように流動状態が変化するかを容易に判断することができる。また、各選択スイッチ２３、２４、２５、２６、２７、２８、２９、３０、３１、３２、３４、３５、３６、３７、３８の画像の色から、主ポンプ５４の動力の断接状態や流路の開閉状態を確認できるので、各選択スイッチ２３、２４、２５、２６、２７、２８、２９、３０、３１、３２、３４、３５、３６、３７、３８によりポンプ動力を断接し、バルブ７１、７２、７３、７４、７５、７６、７７、７９、８０、８２、８３、８４、８５、８６により流路を開閉した場合、どのように流動状態が変化するかの判断を容易化できる。さらに、第１画面１５における主ノズル４の画像から、消火用流体の放出方向を容易に判断できる。
【００４６】
なお、本発明は上記実施形態に限定されない。例えば、水、薬液、混合液それぞれに対応付けられる色や、消火用流体が流動しない場合の色は特に限定されない。また、タンク、ノズル、バルブの数や配管の仕方は特に限定されない。また、配管の画像は、実際の配管を精密に表す必要はなく、本発明の効果を奏する上で必要な程度に表していれば足りる。
【００４７】
【発明の効果】
本発明の消防自動車によれば、消火用流体の流動状態、種類、流動の変化等を確実かつ迅速に判断することができ、迅速な判断が必要とされる消防現場に適したものである。
【図面の簡単な説明】
【図１】本発明の実施形態の消防自動車の側面図
【図２】本発明の実施形態の消防自動車の運転室の平面図
【図３】本発明の実施形態の表示パネルの第１画面を示す図
【図４】本発明の実施形態の表示パネルの第２画面を示す図
【図５】本発明の実施形態の消防自動車の表示系の構成を示すブロック図
【符号の説明】
４、５、７、８、９  主ノズル
１３  制御パネル
２３、２４、２５、２６、２７、２８、２９、３０、３１、３２、３３、３４、３５、３６、３７、３８  選択スイッチ
５１  水タンク
５２  薬液タンク
５４  主ポンプ
６５  配管
７１、７２、７３、７４、７５、７６、７７、７９、８０、８２、８３、８４、８５、８６  バルブ
【図１】
0003683026.tif 000002
【図２】
0003683026.tif 000003
【図３】
0003683026.tif 000004
【図４】
0003683026.tif 000005
【図５】
0003683026.tif 000006